(57)【要約】【課題】車両の移動に伴い放送番組が視聴不可となった場合に、適切なタイミングでチャンネルサーチを開始することで、放送番組の視聴不能時間を短縮するデジタル放送受信装置を提供する。【解決手段】デジタル放送受信装置の速度情報を検出する速度検出部と、チャンネルサーチ処理を行って各チャンネルの信号状態を検出する制御部を備えており、制御部は速度検出部よりデジタル放送受信装置の速度情報を取得し、放送信号が視聴不可となった場合にチャンネルサーチ処理を開始するタイミングを、速度情報に基づいて決定する。【選択図】図４
2014007485.tif 000002
【特許請求の範囲】
【請求項１】
デジタル放送信号を受信するデジタル放送受信装置であって、
受信した前記デジタル放送信号から特定の物理チャンネルのデジタル放送信号を抽出する選局部と、
当該選局部が抽出したデジタル放送信号が供給され当該デジタル放送信号が含む映像信号を表示するための処理を行う信号処理部と、
前記デジタル放送受信装置の位置に係る位置情報を検出する位置検出部と、
前記位置情報が示す位置における道路の制限速度情報に係る情報を格納する記憶部と、
前記位置検出部が検出した位置情報と前記記憶部が格納する情報が供給されて前記デジタル放送受信装置の位置における道路の制限速度情報を取得し、前記信号処理部における映像信号が視聴不可となった場合には、前記制限速度情報に基づきタイミングを決定して前記選局部にチャンネルサーチを開始させるよう制御する制御部
を有することを特徴とするデジタル放送受信装置。
【請求項２】
デジタル放送信号を受信するデジタル放送受信装置であって、
受信した前記デジタル放送信号から特定の物理チャンネルのデジタル放送信号を抽出する選局部と、
当該選局部が抽出したデジタル放送信号が供給され当該デジタル放送信号が含む映像信号を表示するための処理を行う信号処理部と、
前記デジタル放送受信装置の位置に係る位置情報を検出する位置検出部と、
所定の道路の制限速度情報に係る情報を格納する記憶部と、
前記位置検出部が検出した位置情報と前記記憶部が格納する情報が供給され、前記デジタル放送受信装置の位置が前記所定の道路にある際に前記信号処理部における映像信号が視聴不可となった場合には、前記制限速度情報に基づきタイミングを決定して前記選局部にチャンネルサーチを開始させるよう制御する制御部
を有することを特徴とするデジタル放送受信装置。
【請求項３】
デジタル放送信号を受信するデジタル放送受信装置であって、
受信した前記デジタル放送信号から特定の物理チャンネルのデジタル放送信号を抽出する選局部と、
当該選局部が抽出したデジタル放送信号が供給され当該デジタル放送信号が含む映像信号を表示するための処理を行う信号処理部と、
前記デジタル放送受信装置が所定の道路へ入場又は所定の道路から出場したことを検出して通行料金を精算するための料金収受部と、
当該料金収受部が検出した前記所定の道路への入場又は所定の道路からの出場に係る入出場情報が供給され、前記信号処理部における映像信号が視聴不可となった場合には、前記入出場情報に基づきタイミングを決定して前記選局部にチャンネルサーチを開始させるよう制御する制御部
を有することを特徴とするデジタル放送受信装置。
【請求項４】
デジタル放送信号を受信するデジタル放送受信装置であって、
受信した前記デジタル放送信号から特定の物理チャンネルのデジタル放送信号を抽出する選局部と、
当該選局部が抽出したデジタル放送信号が供給され当該デジタル放送信号が含む映像信号を表示するための処理を行う信号処理部と、
衛星測位システム（ＧＰＳ）が供給する信号を受信して当該信号に基づき前記デジタル放送受信装置の位置に係る位置情報を検出する位置検出部と、
前記信号処理部における映像信号が視聴不可となった際に前記位置検出部が前記速度情報を検出できる場合には、前記選局部にチャンネルサーチを開始させるよう制御する制御部
を有することを特徴とするデジタル放送受信装置。
【請求項５】
デジタル放送信号を受信するデジタル放送受信装置であって、
受信した前記デジタル放送信号から特定の物理チャンネルのデジタル放送信号を抽出する選局部と、
当該選局部が抽出したデジタル放送信号が供給され当該デジタル放送信号が含む映像信号を表示するための処理を行う信号処理部と、
前記デジタル放送受信装置の位置に係る位置情報を検出する位置検出部と、
前記位置情報が示す位置がトンネル内にあるか否かに係る情報を格納する記憶部と、
前記位置検出部が検出した位置情報と前記記憶部が格納する情報が供給されて前記デジタル放送受信装置の位置がトンネル内であるか否かを判定し、前記信号処理部における映像信号が視聴不可となった際に前記デジタル放送受信装置の位置がトンネル外にあると判定された場合には、前記選局部にチャンネルサーチを開始させるよう制御する制御部
を有することを特徴とするデジタル放送受信装置。
【発明の詳細な説明】
【技術分野】
【０００１】
本発明はデジタル放送受信装置に係り、特に移動体に搭載されて移動する際の放送番組の視聴不能時間を短縮したデジタル放送受信装置に関する。
【背景技術】
【０００２】
デジタル放送は、中継局ごとに異なる物理チャンネルの周波数で放送されている。このため、移動体に搭載されたデジタル放送受信装置でデジタル放送を受信する場合、移動体が現在の受信エリアから他の受信エリアに移動すると、それまで受信していた放送番組が視聴できなくなってしまう。受信エリアを移動しても放送番組を継続して視聴するためには、デジタル放送の物理チャンネルをサーチし、現在地で視聴可能な放送番組を再設定することが必要となる。
【０００３】
放送番組が視聴不可となった際に、同一の放送番組を効率的にサーチする方法として、例えば、非特許文献１は、個々の放送局が放送する中継局の全ての送信周波数をＮＩＴ（Ｎｅｔｗｏｒｋ  Ｉｎｆｏｒｍａｔｉｏｎ  Ｔａｂｌｅ）の地上分配システム記述子に記載することとし、車載受信装置など受信チャンネルがダイナミックに変化し得る受信装置では、現在の受信エリアから他のエリアに移動した際には、ＮＩＴに記載されている周波数情報を利用して周波数スキャンを行うことで、同一の放送番組を継続して視聴することを開示している。
【０００４】
また、非特許文献１は、個々の放送局は１つあるいは複数の系列に属することができ、系列の識別は、ＢＩＴ（Ｂｒｏａｄｃａｓｔｅｒ  Ｉｎｆｏｒｍａｔｉｏｎ  Ｔａｂｌｅ）の拡張ブロードキャスタ記述子の系列識別（ａｆｆｉｌｉａｔｉｏｎ＿ｉｄ）により識別され、エリアをまたがって受信する際に、系列識別が同じ放送局をサーチすることで、同一系列局の放送番組を継続して視聴することを開示している。但し、同一系列局が、常に同一の放送番組を放送しているとは限らない。
【先行技術文献】
【非特許文献】
【０００５】
【非特許文献１】ＡＲＩＢ  ＴＲ−Ｂ１４  ４．７版第４編「地上デジタルテレビジョン放送ＰＳＩ／ＳＩ運用規定」
【発明の概要】
【発明が解決しようとする課題】
【０００６】
上記の非特許文献１では、視聴可能な放送番組を効率的にサーチする方法が示されているが、受信していた放送番組が視聴不可となった後に、中継局や同一系列局のチャンネルサーチを開始するタイミングについては述べられていない。
例えば、受信エリア内において、建物などの影響で放送電波が遮断されたスポットを通過した時に視聴不可が一時的に発生してチャンネルサーチが開始された場合、スポットを抜けて電波状況が回復しても、チャンネルサーチが終了するまでの間、もとの放送番組を視聴することができない。一方、実際に受信エリアを移動したことにより視聴不可が発生した場合、即座にチャンネルサーチを実施すれば中継局や同一系列局の放送番組をいち早く視聴することができる。これら様々な状況を考慮して、視聴不能時間を短くするようチャンネルサーチの開始タイミングを設定する方法は、これまで考慮されていなかった。
本発明の目的は、移動体に搭載されて移動する際の放送番組の視聴不能時間を短縮したデジタル放送受信装置を提供することにある。
【課題を解決するための手段】
【０００７】
上記目的を達成するために、例えば特許請求の範囲に記載の構成を採用する。
本願に係る発明は上記目的を解決する手段を複数含んでいるが、その一例を挙げるならば、デジタル放送信号を受信するデジタル放送受信装置であって、受信した前記デジタル放送信号から特定の物理チャンネルのデジタル放送信号を抽出する選局部と、当該選局部が抽出したデジタル放送信号が供給され当該デジタル放送信号が含む映像信号を表示するための処理を行う信号処理部と、前記デジタル放送受信装置の位置に係る位置情報を検出する位置検出部と、前記位置情報が示す位置における道路の制限速度情報に係る情報を格納する記憶部と、前記位置検出部が検出した位置情報と前記記憶部が格納する情報が供給されて前記デジタル放送受信装置の位置における道路の制限速度情報を取得し、前記信号処理部における映像信号が視聴不可となった場合には、前記制限速度情報に基づきタイミングを決定して前記選局部にチャンネルサーチを開始させるよう制御する制御部を有することを特徴としている。
【発明の効果】
【０００８】
本発明によれば、移動体に搭載されて移動する際の放送番組の視聴不能時間を短縮したデジタル放送受信装置を提供できるという効果がある。
【図面の簡単な説明】
【０００９】
【図１】本実施形態に係るデジタル放送受信装置の構成の一例を示す図である。
【図２】車速とカウント時間との対応関係の一例を示す図である。
【図３】受信チャンネル情報の一例を示す図である。
【図４】実施例１におけるチャンネルサーチ処理の一例を示す図である。
【図５Ａ】実施例１における視聴不可時の画面表示の一例を示す図である。
【図５Ｂ】実施例１におけるチャンネルサーチ時の画面表示の一例を示す図である。
【図６】実施例１における放送局データベースの一例を示す図である。
【図７】実施例２におけるチャンネルサーチ処理の一例を示す図である。
【図８】実施例２におけるナビゲーション画面の一例を示す図である。
【図９】実施例３における道路名と制限速度との対応関係の一例を示す図である。
【図１０】実施例３における制限速度とカウント時間との対応関係の一例を示す図である。
【図１１】実施例３におけるチャンネルサーチ処理の一例を示す図である。
【図１２】実施例４における自動チャンネルサーチ設定画面の一例を示す図である。
【図１３】実施例４におけるチャンネルサーチ処理の一例を示す図である。
【図１４】実施例４におけるプリセットモード切り替え設定画面の一例を示す図である。
【図１５】実施例５におけるダイバーシティ受信が可能なデジタル放送受信装置の構成の一例を示す図である。
【発明を実施するための形態】
【００１０】
以下、本発明の実施の形態につき、図面に基づいて詳細に説明する。
本発明の実施の形態におけるデジタル放送受信装置では、日本の地上デジタル放送の伝送方式であるＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）による放送信号を受信し、ＭＰＥＧ２−ＴＳ（Ｔｒａｎｓｐｏｒｔ  Ｓｔｒｅａｍ）（以下、ＴＳ信号）形式の映像・音声信号をデコードすることができる。ＩＳＤＢ−Ｔでは、１チャンネルの伝送帯域を１３個のセグメントに分割し、それぞれのセグメントを組み合わせて、最大３階層までの階層伝送を行うことができる。
【００１１】
現在、この階層伝送を利用し、１２個のセグメントを使用して固定受信端末向けの高画質な放送（以下、１２セグ放送）と、残りの１個のセグメントを使用して携帯受信端末向けの低画質な放送（以下、ワンセグ放送と称する）が行われている。１２セグ放送とワンセグ放送は、同じ番組内容を放送するサイマル放送が主流である。ここで、１２セグ放送は、伝送容量が大きく高画質な放送であるがノイズ耐性に弱く、放送電波の信号品質が比較的良好でないと正しく受信できない。一方、ワンセグ放送は、伝送容量が小さく低画質な放送であるがノイズ耐性に強く、放送電波の信号品質が比較的劣化していても正しく受信できるという特徴がある。本発明の実施の形態におけるデジタル放送受信装置では、１２セグ放送とワンセグ放送の少なくともどちらか一方の受信機能を有している。また、本発明の実施の形態におけるデジタル放送受信装置が１２セグ放送とワンセグ放送の両方の受信機能を有している場合には、放送電波の信号品質の良否に応じてどちらか一方の映像・音声信号を選択してディスプレイやスピーカ等に出力することができる。
【実施例１】
【００１２】
図１は、本実施形態に係るデジタル放送受信装置の構成の一例を示す図である。
図１の１０はアンテナ部を示し、放送電波を受信し選局部１１に供給する。選局部１１は、供給された放送電波より所望の物理チャンネルを抽出・周波数変換し、復調部１２に供給する。復調部１２は、入力された所望のチャンネル信号に対してＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調処理や誤り訂正処理などを行い、生成されたＴＳ信号を復号部１３に供給する。復調部１２はまた、ＯＦＤＭ復調処理における同期状態やＣＮＲ（Ｃａｒｒｉｅｒ  ｔｏ  Ｎｏｉｓｅ  Ｒａｔｉｏ）、誤り訂正処理におけるビットエラーレート（以下、ＢＥＲ：Ｂｉｔ  Ｅｒｒｏｒ  Ｒａｔｅ）やパケットエラーレート（以下、ＰＥＲ：Ｐａｃｋｅｔ  Ｅｒｒｏｒ  Ｒａｔｅ）などの受信信号の品質を示す情報（以下、信号品質値）を抽出し、制御部１５に供給することができる。ＣＮＲ、ＢＥＲ、ＰＥＲの各信号品質値は、１２セグ放送とワンセグ放送のそれぞれについて取得することができる。
【００１３】
復号部１３は、復調部１２よりＴＳ信号を供給され、映像・音声が含まれるＴＳ信号を抽出してデコード処理を行う。デコード処理は、１２セグ放送及びワンセグ放送の両方のデコード処理が可能であり、制御部１５からの指示により、１２セグ放送とワンセグ放送の映像・音声信号のうちどちらか一方を選択し、表示部１４に供給する。復号部１３はまた、番組特定情報（以下、ＰＳＩ：Ｐｒｏｇｒａｍ  Ｓｐｅｃｉｆｉｃ  Ｉｎｆｏｒｍａｔｉｏｎ）や番組配列情報（以下、ＳＩ：Ｓｅｒｖｉｃｅ  Ｉｎｆｏｒｍａｔｉｏｎ）などを抽出し、制御部１５に供給することができる。
なお、以下の記載では、復調部１２と復号部１３を併せて信号処理部と呼ぶことがある。
制御部１５は、デジタル放送受信装置に含まれる各機能ブロックの動作制御を行う。その詳細は後述する。
【００１４】
表示部１４は、映像を表示するディスプレイや音声を出力するスピーカなどで構成され、復号部１３より供給された映像信号はディスプレイに、音声信号はスピーカに出力される。また、ディスプレイにはタッチパネル機能が備わっており、ディスプレイ上に表示された様々なメニュー項目をユーザがタッチし、その操作情報が制御部１５に供給される。
位置検出部１６は、衛星を利用した測位システムを備えており、車両の位置情報を特定することができる。衛星を利用した測位システムには、米国で開発されたＧＰＳ（Ｇｌｏｂａｌ  Ｐｏｓｉｔｉｏｎｉｎｇ  Ｓｙｓｔｅｍ）のほか、ロシアのＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）、欧州のＧａｌｉｌｅｏ、日本の準天頂衛星システムといった衛星測位システムの運用が予定されている。また、位置検出部１６は、図示していないが車両の角速度に関する情報を取得できるジャイロセンサや、車両の加速度に関する情報を取得できる加速度センサなどを利用して車両の速度や進行方向を算出し、衛星測位システムの信号が受信できない環境においても、車両の位置情報を推定することができる。
【００１５】
速度検出部１７は、車両から入力される車速パルスをカウントして車両の速度情報を生成する。また、速度検出部１７は、位置検出部１６より得られる車両の位置情報と、地点間の移動に要した時間を用いて、車両の速度情報を生成することもできる。
記憶部１８は、図２に示す車速とカウント時間との対応関係を示す情報、図３に示す受信チャンネルに関する情報、図６に示す放送局データベースに関する情報などを格納している。記憶部１８は、制御部１５からの指示により、これらの情報を読み取ったり、書き換えたりすることができる。また、記憶部１８は、ナビゲーション処理に使用する地図情報を記憶している。
タイマ部１９は、制御部１５からの指示により、所定のタイマ時間を設定し、タイマのカウントダウン、ストップ、リセットなどの処理を行うことができる。
料金収受部２０は、高速道路の入口料金所や出口料金所に設置される無線装置との間で認証処理を行い、通行料金の収受などに用いられる装置である。料金収受システムとして、例えば、５．８ＧＨｚの電波を用いたＤＳＲＣ（Ｄｅｄｉｃａｔｅｄ  Ｓｈｏｒｔ  Ｒａｎｇｅ  Ｃｏｍｍｕｎｉｃａｔｉｏｎｓ:狭域通信）によって情報伝達を行うＥＴＣ（Ｅｌｅｃｔｒｏｎｉｃ  Ｔｏｌｌ  Ｃｏｌｌｅｃｔｉｏｎ自動料金収受システム（登録商標））がある。
【００１６】
図４は、本実施形態に係るデジタル放送受信装置で実行されるチャンネルサーチ処理の一例を示すフローチャートであり、制御部１５の指示に従って実行される。
図４のデジタル放送受信装置において、アンテナ部１０はデジタル放送信号を受信し、選局部１１は所望のチャンネルを選局し、復調部１２は所望のチャンネル信号のＯＦＤＭ復調及び誤り訂正処理を行ってＴＳ信号を生成し、復号部１３はＴＳ信号から映像・音声信号のデコード処理を行って制御部１５からの指示に従い１２セグ放送又はワンセグ放送のどちらか一方の映像・音声信号を表示部１４に供給する。
制御部１５における１２セグ放送とワンセグ放送の選択方法に関して述べる。例えば、制御部１５は、復調部１２より信号品質値を定期的に取得し、信号品質値が所定の閾値よりも良好である場合は１２セグ放送、信号品質値が所定の閾値よりも不良である場合はワンセグ放送を選択する。所定の閾値とは、例えば、１２セグ放送の受信映像にブロックノイズが発生する信号品質値、或いは１２セグ放送の受信映像が正常にデコードできない信号品質値とする。また、走行中は受信した放送電波の時間変動が大きいため、複数の信号品質値が連続して所定の閾値よりも不良となった場合は１２セグ放送からワンセグ放送に切り替え、複数の信号品質値が所定の閾値よりも良好となった場合はワンセグ放送から１２セグ放送に切り替えることにより、１２セグ放送とワンセグ放送の頻繁な切り替えの発生を低減し、ユーザの不快感を軽減することができる。
【００１７】
図４のステップＳ１００において、制御部１５は、受信している放送番組に視聴不可が発生したか否かを判断し、視聴不可が発生した場合はステップＳ１０１に移行し、視聴不可が発生していない場合はステップＳ１００の処理を繰り返し行う。視聴不可が発生したか否かの判断方法は、例えば、制御部１５は、復調部１２より定期的（例えば１秒ごと）に信号品質値を取得し、信号品質値が所定の閾値よりも不良となった場合に、視聴不可が発生したと判断する。所定の閾値とは、例えば、ワンセグ放送の受信映像にブロックノイズが発生する信号品質値、或いはワンセグ放送の受信映像が正常にデコードできない信号品質値とする。また、複数の信号品質値が連続して所定の閾値よりも不良となった場合に、視聴不可が発生したと判断することもできる。さらには、信号品質値として同期状態を取得し、「同期」状態から「非同期」状態に変化した場合、或いは「同期」状態から「非同期」状態に変化し「非同期」状態が複数回連続した場合に、視聴不可が発生したと判断することもできる。
【００１８】
なお、ユーザが１２セグ放送のみを受信する設定（ワンセグ放送に自動的に切り替えない設定）をしている場合や、或いはデジタル放送受信装置がワンセグ放送の受信機能を有していない場合には、所定の閾値として、１２セグ放送の受信映像にブロックノイズが発生する信号品質値、或いは１２セグ放送の受信映像が正常にデコードできない信号品質値とすればよい。
制御部１５は、ステップＳ１００で視聴不可が発生したと判断した場合は、例えば、図５Ａに示すように、ディスプレイ画面５０に、「受信できません」などのメッセージ５１を表示し、ユーザに対して電波状態が悪いために放送番組を視聴できない旨を提示する。
【００１９】
次に、ステップＳ１０１において、制御部１５は、速度検出部１７より車両の速度情報を取得する。続いて、ステップＳ１０２において、制御部１５は、記憶部１８に記憶されている図２に示した車速とカウント時間との対応関係を参照し、速度検出部１７より取得した車両の速度情報をカウント時間に変換する。図２において、例えば、車両の速度情報が３０ｋｍ／ｈの場合はカウント時間＝３０秒、車両の速度が９０ｋｍ／ｈの場合はカウント時間＝５秒であり、車両の速度が速いほどカウント時間は短くなるように設定する。図２に示した車速とカウント時間との対応関係は一例であり、車速の分割数やカウント時間の数値を変更しても良く、図２の一例に限定されるものではない。
その後、ステップＳ１０３において、制御部１５は、ステップＳ１０２で決定したカウント時間をタイマ部１９に設定し、タイマのカウントダウンを開始する。
【００２０】
次に、ステップＳ１０４において、制御部１５は、復調部１２より信号品質値を取得し、放送番組が視聴可能となるまでに電波状態が回復したか否かを判断する。視聴可能となった場合は、制御部１５は、タイマ部１９に対してカウントダウン処理を停止し、ステップＳ１００に移行する。視聴不可が続いている場合は、ステップＳ１０５に進む。放送番組が視聴可能となるまでに電波状態が回復したか否かの判断方法は、例えば、制御部１５は、復調部１２より取得した信号品質値が所定の閾値よりも良好となった場合に、視聴可能となったと判断する。所定の閾値とは、例えば、ワンセグ放送の受信映像にブロックノイズが発生する程度の信号品質値、或いはワンセグ放送の受信映像にブロックノイズが発生しない最小の信号品質値などとする。また、複数の信号品質値が連続して所定の閾値よりも良好となった場合に、視聴可能となったと判断することもできる。さらには、信号品質値として同期状態を取得し、「非同期」状態から「同期」状態に変化した場合、或いは「非同期」状態から「同期」状態に変化し「同期」状態が複数回連続した場合に、視聴可能となったと判断することもできる。
【００２１】
なお、ユーザが１２セグ放送のみを受信する設定（ワンセグ放送に自動的に切り替えない設定）をしている場合や、或いはデジタル放送受信装置がワンセグ放送の受信機能を有していない場合には、所定の閾値として、１２セグ放送の受信映像にブロックノイズが発生する程度の信号品質値、或いは１２セグ放送の受信映像にブロックノイズが発生しない最小の信号品質値などとすればよい。
ステップＳ１０４において、視聴不可が続いていると判断した場合は、ステップＳ１０５に進み、制御部１５は、タイマ部１９より現在のカウントダウン状況を取得し、カウントダウンが終了（すなわち０秒）したか否かを判断する。カウントダウンがまだ終了していない場合はステップＳ１０４に戻り、カウントダウンが終了した場合はステップＳ１０６に移行してチャンネルサーチを実行する。チャンネルサーチを実行中は、例えば、図５Ｂに示すように、ディスプレイ画面５０に、「チャンネルサーチ中」などのメッセージ５２を表示し、ユーザに対してチャンネルサーチを実行中である旨を提示する。
【００２２】
以下、ステップＳ１０６におけるチャンネルサーチの実行手順の一例を説明する。まず、中継局の物理チャンネルをサーチする。制御部１５は、記憶部１８に記憶されている図３に示した受信チャンネル情報を参照し、受信している放送番組の中継局の物理チャンネルを取得する。例えば、「○○○東京」を受信している場合は、１３、１６、１９、２０、２７、２８、３０チャンネルである。次に、制御部１５は、選局部１１に対して、取得した物理チャンネルを順に選局し、各物理チャンネルについて、復調部１２より信号品質値、復号部１３よりＰＳＩ／ＳＩ情報を取得する。ＰＳＩ／ＳＩに含まれるＮＩＴのネットワーク識別が、受信していた放送番組のネットワーク識別と同一であった場合、この物理チャンネルを受信し、チャンネルサーチを終了する。複数の物理チャンネルが該当した場合は、信号品質値が最も良好な物理チャンネルを受信する。図３の例では、「○○○東京」のネットワーク識別は「７ＥＦ０」である。
【００２３】
上記で該当する物理チャンネルが存在しない場合（中継局を発見できなかった場合）、次に同一系列局のチャンネルをサーチする。制御部１５は、位置検出部１６より車両の位置情報を取得し、記憶部１８に記憶している図６に示した全国の地域ごとにまとめた放送局データベース情報より現在地域のデータベース情報を参照し、受信していた放送番組の系列識別と同じ系列識別を有する放送局の中継局物理チャンネルを取得する。例えば、現在地域が静岡県で、チャンネルサーチを実行する前は「○○○東京」を受信していた場合は、静岡県の放送局データベース情報を参照し、「○○○東京」と同じ系列識別０を有する「○○○静岡」の中継局の物理チャンネル１５、１７、１８、２２、２５、２６、４２を取得する。制御部１５は、これらの物理チャンネルを順に選局し、ＰＳＩ／ＳＩに含まれるＢＩＴの系列識別が、受信していた放送番組の系列識別と同一であった場合、この物理チャンネルを受信し、チャンネルサーチを終了する。該当する物理チャンネルが存在しない場合は、地上デジタル放送の残りの物理チャンネルを順にサーチする。全ての物理チャンネルをサーチしても、同一の系列識別を有する物理チャンネルが存在しなかった場合は、中継局のチャンネルサーチと同一系列局のチャンネルサーチを繰り返す、或いはチャンネルサーチ実行前のチャンネルを受信し、チャンネルサーチ処理を終了する。
【００２４】
以上のように、本実施形態によれば、車両の移動に伴い受信していた放送番組が視聴できなくなった場合に、車両の移動速度に応じてチャンネルサーチの開始タイミングを変更する。車両が高速で移動している場合は、受信エリア間の移動時間が短いため、放送番組が視聴できなくなった場合に即座にチャンネルサーチを実施し、移動先の受信エリアの放送番組に素早く切り替えることができる。一方、車両が低速で移動している場合は、受信エリア間の移動時間が長いため、放送番組が視聴できなくなった場合に即座にチャンネルサーチを実施してしまうと、まだ移動先の受信エリアの放送番組を発見できない可能性が高く、またチャンネルサーチ中は放送番組を視聴することができない。本実施形態によれば、車両が低速で移動している場合には、放送番組が視聴できなくなっても即座にチャンネルサーチを開始せず、放送電波の受信状態が回復した際には継続して受信を行い、しばらく視聴できない状態が続いた時にチャンネルサーチを開始する。このため、放送番組が視聴できなくなり即座にチャンネルサーチを実施するよりも、視聴可能時間を増加させることができる。
【実施例２】
【００２５】
次に、第２の実施形態のデジタル放送受信装置について説明する。本実施形態のデジタル放送受信装置の構成は、図１に示した構成と同様であり、制御部１５が実行する処理内容のみが異なる。このため、異なる処理についてのみ説明し、同一部分については説明を省略する。
図７は、本実施形態に係るデジタル放送受信装置で実行されるチャンネルサーチ処理の一例を示すフローチャートであり、図４で示したチャンネルサーチ処理と比較して、ステップＳ２０１〜Ｓ２０４が新規で追加された構成である。
【００２６】
図７のステップＳ１０３では、制御部１５は、ステップＳ１０２で決定したカウント時間をタイマ部１９に設定し、タイマのカウントダウンを開始した後、ステップＳ２０１に移行する。ステップＳ２０１では、制御部１５は、車両がトンネル内か否かを判断し、車両がトンネル内の場合はステップＳ２０２に進み、車両がトンネル内でない場合はステップＳ１０４に進む。車両がトンネル内か否かの判断方法は、例えば、制御部１５は、記憶部１８に記憶されているナビゲーション処理に使用する地図情報を参照し、位置検出部１６より取得した車両の位置情報を地図情報にマッピングし、この時の車両位置がトンネルの内部を通過中の場合はトンネル内と判断し、車両位置がトンネルの外部を通過中の場合はトンネル内でないと判断することができる。例えば、図８に示すように、ディスプレイ画面５０にナビゲーション情報を表示している場合、車両位置がｂ点の場合はトンネル内、車両位置がａ点或いはｃ点の場合はトンネル内ではない。
【００２７】
また、車両がトンネル内か否かの判断方法として、制御部１５は、位置検出部１６において衛星測位システムの信号が受信できている場合は、車両はトンネル内でないと判断し、電波状態が悪いため衛星測位システムの信号が受信できない場合はトンネル内と判断しても良い。さらには、例えば、制御部１５は、復号部１３に対して視聴する放送番組を１２セグ放送からワンセグ放送に切り替えた時の時刻と、ワンセグ放送の視聴不可が発生（ステップＳ１００でＹＥＳ判定）した時の時刻を測定し、その差分値が所定の閾値時間（例えば、１０秒）以下であれば、車両がトンネル内に入ったと判断しても良い。
ステップＳ２０１において、車両がトンネル内と判断された場合、ステップＳ２０２に進み、制御部１５は、タイマ部１９に対して、タイマのカウントダウンを停止する。
【００２８】
次に、ステップＳ１０４において、前記の通り、制御部１５は、復調部１２より信号品質値を取得し、放送番組が視聴可能となるまでに放送電波の受信状態が回復したか否かを判断する。視聴可能となった場合は、制御部１５は、タイマ部１９に対してカウントダウン処理を停止し、ステップＳ１００に移行する。視聴不可のままである場合は、ステップＳ２０３に進む。
ステップＳ２０３では、制御部１５は、車両がトンネル内から抜け出したか否かを判断し、車両がトンネル内から抜け出した場合はステップＳ２０４に進み、車両がまだトンネル内の場合はステップＳ１０４に戻る。車両がトンネル内から抜け出したか否かの判断方法は、例えば、制御部１５は、記憶部１８に記憶されているナビゲーション処理に使用する地図情報を参照し、位置検出部１６より取得した車両の位置情報を地図情報にマッピングし、この時の車両位置がトンネル外部を走行中であった場合、車両はトンネル内から抜け出したと判断することができる。あるいは、制御部１５は、位置検出部１６において衛星測位システムの信号が受信できない状態から受信可能となった場合に、車両はトンネル内から抜け出したと判断しても良い。
【００２９】
車両がトンネル内から抜け出した場合（ステップＳ２０３でＹＥＳ判定）、ステップＳ２０４において、制御部１５は、タイマ部１９に対してカウントダウン処理を再開させ、ステップＳ１０５に進む。以降、ステップＳ１０５、Ｓ１０６の処理は、図４で示した第１の実施形態の処理と同様である。
以上のように、本実施形態によれば、トンネルなど放送電波が届かない場所を走行する場合は、放送番組が視聴不可となってもチャンネルサーチを行わないため、トンネル内から抜け出した時にトンネルに入る前の放送番組を即座に視聴することができる。
【実施例３】
【００３０】
次に、第３の実施形態のデジタル放送受信装置について説明する。本実施形態のデジタル放送受信装置の構成は、図１に示した構成と同様であり、制御部１５が実行する処理内容のみが異なる。このため、異なる処理についてのみ説明し、同一部分については説明を省略する。なお、記憶部１８は、図９に示す道路ごとの制限速度に関する情報をナビゲーション用の地図情報とリンクさせて記憶している。さらには、記憶部１８は、図１０に示す制限速度とカウント時間の対応関係に関する情報を記憶している。
【００３１】
図１１は、本実施形態に係るデジタル放送受信装置で実行されるチャンネルサーチ処理の一例を示すフローチャートであり、図４で示したチャンネルサーチ処理と比較して、図４のステップＳ１０１、Ｓ１０２がそれぞれステップＳ３０１、Ｓ３０２に置換された構成である。
図１１のステップＳ１００では、制御部１５は、放送番組が視聴不可となると、ステップＳ３０１に移行する。ステップＳ３０１では、制御部１５は、位置検出部１６より取得した車両の位置情報を、記憶部１８の地図情報にマッピングし、現在走行中の道路名に関する情報を取得する。そして、制御部１５は、記憶部１８に記憶されている図９に示した道路名と制限速度の対応関係を参照し、車両が走行中の道路の制限速度情報を取得する。図９の一例では、走行中の道路が「△△バイパス」の場合は、制限速度は６０ｋｍ／ｈである。
【００３２】
次に、ステップＳ３０２において、制御部１５は、記憶部１８に記憶された図１０に示した制限速度とカウント時間との対応関係を参照し、走行中の道路の制限速度をカウント時間に変換する。図１０の一例では、制限速度が６０ｋｍ／ｈの場合はカウント時間３０秒、制限速度が１００ｋｍ／ｈの場合はカウント時間５秒であり、制限速度が高いほどカウント時間は短くなるように設定されている。図１０に示した制限速度とカウント時間との対応関係は一例であり、制限速度の分割数やカウント時間の数値を変更しても良く、図１０の一例に限定されるものではない。
その後、ステップＳ１０３において、制御部１５は、ステップＳ３０２で決定したカウント時間をタイマ部１９に設定し、タイマのカウントダウンを開始する。以降の処理は、図４で示した第１の実施形態のフローチャート、或いは図７で示した第２の実施形態のフローチャートに従って実施される。
【００３３】
以上のように、本実施形態によれば、道路名と制限速度の対応関係を保持することで、車両の位置情報をもとに車両の走行速度を見積もることが可能となり、第１の実施形態のように車両の速度情報を取得しなくとも、同様の効果を得ることができる。
本実施形態では、記憶部１８は、図９に示した道路名と制限速度の対応関係を記憶する必要があったが、これを記憶しなくとも、例えば、制御部１５は、位置検出部１６より取得した車両の位置情報を記憶部１８に記憶した地図情報にマッピングし、予め指定した道路（例えば、制限速度が８０ｋｍ／ｈ以上の高速道路）を車両が走行中の場合はカウント時間を小さく（例えば、５秒）設定し、車両がそれ以外の道路を走行中の場合はカウント時間を大きく（例えば、６０秒）設定するようにしても良い。また、高速道路を走行中であるか否かの判断は、例えば、制御部１５は、料金収受部２０において高速道路への入退場時に発生する料金収受などの情報処理を検出することで判断することもできる。
【実施例４】
【００３４】
次に、第４の実施形態のデジタル放送受信装置について説明する。本実施形態のデジタル放送受信装置の構成は、図１に示した構成と同様であり、制御部１５が実行する処理内容のみが異なる。このため、異なる処理についてのみ説明し、同一部分については説明を省略する。
図１２は、出力部１４のディスプレイ画面５０に表示されるチャンネルサーチに関する設定メニューの一例である。放送番組が視聴不可となった場合に、自動的にチャンネルサーチが実行されるＯＮ（速度優先）設定５３、自動的にチャンネルサーチが実行されるＯＮ（時間優先）設定５４、及び放送番組が視聴不可となってもチャンネルサーチを実行しないＯＦＦ設定５５より、ユーザが希望の設定を選択することができる。
【００３５】
図１３は、本実施形態に係るデジタル放送受信装置で実行されるチャンネルサーチ処理の一例を示すフローチャートであり、図４で示したチャンネルサーチ処理と比較して、ステップＳ４０１、Ｓ４０２を追加した構成である。なお、ユーザにより、チャンネルサーチを実行しないＯＦＦ設定５５が選択された場合は、本チャンネルサーチ処理は実施しない。
図１３のステップＳ１００において、制御部１５は、放送番組が視聴不可となると、ステップＳ４０１に移行する。ステップＳ４０１では、制御部１５は、ユーザの選択がＯＮ（速度優先）設定５３であるかＯＮ（時間優先）設定５４であるかを判断し、ＯＮ（速度優先）設定５３の場合はステップＳ１０１に移行し、ＯＮ（時間優先）設定５４の場合はステップＳ４０２に移行する。
【００３６】
ステップＳ４０２において、制御部１５は、所定のカウント時間（例えば、６０秒）をカウント時間とし、ステップＳ１０３において、所定のカウント時間をタイマ部１９に設定し、タイマのカウントダウンを開始する。
図１３のその他の処理については、前述までの実施形態におけるチャンネルサーチ処理に従って実施される。
以上のように、本実施形態によれば、車両の速度情報に基づいてチャンネルサーチ処理の開始タイミングを決定するか否かの選択手段を設けたことにより、ユーザの利便性を向上することができる。
【００３７】
本実施形態は、例えば、図１４に示すプリセットモード切り替え設定を用いて実施することもできる。図１４において、「ホーム」設定５６は、ユーザの自宅付近などで視聴可能な放送番組に関する情報を提供するための設定であり、「お出かけ」設定５７は、自宅付近を離れ移動先の地域で視聴可能な放送番組に関する情報を提供するための設定である。図１３のステップＳ４０１の処理において、「ホーム」設定５６が選択されている場合は時間優先のステップＳ４０２に移行し、「お出かけ」設定５７が選択されている場合は速度優先のステップＳ１０１に移行する。「ホーム」設定５６は、自宅付近の放送番組を提供する設定であり、車両が受信エリアを越えて移動する可能性が少ないため、受信中の放送番組が視聴不可となってもチャンネルサーチを即座に実行するべきではない。一方で、「お出かけ」設定５７は、受信エリアを越えて移動する場合などに利用する設定であり、放送番組が視聴不可となった場合にはチャンネルサーチを即座に実行することで、移動先の受信エリアの放送番組を短時間のうちに視聴できる可能性は高い。
【実施例５】
【００３８】
次に、第５の実施形態のデジタル放送受信装置について説明する。図１５は、本実施形態に係るデジタル放送受信装置の構成の一例を示した図である。図１に示した構成と同様な部分は説明を省略し、異なる処理についてのみ説明する。
図１５において、第１のアンテナ部１０ａは、放送電波を受信して第１の選局部１１ａに供給する。第１の選局部１１ａは、供給された放送電波から所望の物理チャンネルを抽出・周波数変換し、復調・合成部２１に供給する。また、１０ｂ〜１０ｄは第２〜第４のアンテナ部、１１ｂ〜１１ｄは第２〜第４の選局部を示し、それぞれアンテナ部１０ａ、選局部１１ａと同様の構成である。
【００３９】
復調・合成部２１は、入力された４つのチャンネル信号に対してＯＦＤＭ復調処理を行い、４つの復調信号を用いたダイバーシティ合成処理を行う。ダイバーシティ合成処理として、各々のＯＦＤＭ復調過程で抽出される複数のサブキャリアについて、サブキャリア毎に重み付け合成する最大比合成法を利用する。ダイバーシティ合成処理の後、誤り訂正処理が行われ、生成されたＴＳ信号が復号部１３に供給される。
また、復調・合成部２１は、ＯＦＤＭ復調した４つの復調信号を任意の２組に分け（２つの復調信号と２つの復調信号に分割、又は３つの復調信号と１つの復調信号に分割）し、それぞれの組に対してダイバーシティ合成（復調信号が１つの場合は除く）及び誤り訂正処理を行い、生成された２つのＴＳ信号のうち一方を復号部１３に供給し、他方を解析部２２に供給することもできる。
【００４０】
解析部２２は、入力したＴＳ信号からＰＳＩ／ＳＩ情報を抽出し、制御部１５に供給する。
その他の構成は、図１で示したデジタル放送受信装置の構成と同様であり、説明を省略する。
本実施形態に係るデジタル放送受信装置におけるチャンネルサーチ処理は、図４で示したフローチャートに従って実行され、ステップＳ１０６の処理のみが異なる。
まず、制御部１５は、放送番組が視聴可能な通常の受信時においては、４つのアンテナ部１０ａ〜１０ｄと選局部１１ａ〜１１ｄを用いて所望の放送番組を受信し、また、復調・合成部２１は、４つの復調信号をダイバーシティ合成及び誤り訂正処理し、生成されたＴＳ信号を復号部１３に供給する。復号部１３は、映像・音声信号が含まれるＴＳ信号のデコード処理を行って出力部１４に供給し、出力部１４は映像・音声信号を出力する。
【００４１】
次に、制御部１５は、図４で示したフローチャートに従い、ステップＳ１００〜Ｓ１０５の処理を行う。以下、ステップＳ１０６におけるチャンネルサーチの実行手順の一例を説明する。
制御部１５は、受信している放送番組の中継局の物理チャンネルを選局部１１ａ〜１１ｄに対して順に選局し、実施例１の処理と同様に、ネットワーク識別が同一の物理チャンネルが見つかった場合はこの物理チャンネルを受信し、チャンネルサーチを終了する。該当する物理チャンネルが存在しなかった場合は、系列識別が同一の物理チャンネルを探索する。
【００４２】
また、別のチャンネルサーチの実行手順の一例として、制御部１５は、復調・合成部２１に入力される４つの復調信号を任意の２組に分割し、一方の組で放送番組の受信を継続しながら、他方の組でチャンネルサーチを実行させることもできる。具体的には、制御部１５は、放送番組を継続して受信させる組のＴＳ信号を復号部１３に出力し、チャンネルサーチを実行させる組のＴＳ信号を解析部２２に供給し、チャンネルサーチを実行させる組に属する選局部に対して、受信している放送番組の中継局の物理チャンネルを順に選局し、解析部２２にて取得される各物理チャンネルのＰＳＩ／ＳＩ情報からネットワーク識別が同一の物理チャンネルが見つかった場合は、４つの選局部１１ａ〜１１ｄに対して当該物理チャンネルを選局し、チャンネルサーチを終了する。該当する物理チャンネルが存在しなかった場合は、引き続きチャンネルサーチを実行させる組に属する選局部を使用して系列識別が同一の物理チャンネルを探索する。
【００４３】
これにより、チャンネルサーチを実行中に放送電波の受信状態が回復した場合、チャンネルサーチを継続しながら放送番組を視聴することができる。チャンネルサーチにより中継局又は同一系列局の放送番組を発見した場合には、視聴中の放送番組の信号品質値と発見した放送番組の信号品質値を比較し、信号品質値の大きいほうの放送番組を受信すればよい。
以上のように、本実施形態によれば、複数のアンテナを用いて放送電波を受信するダイバーシティ受信方式を用いた場合においても、他の実施例と同様に、車両の移動速度に応じてチャンネルサーチ処理の開始タイミングを変化させることができる。
ここまで示した実施形態は一例であって本発明を限定するものではない。本発明の趣旨に基づきながら異なる実施形態を考えられるが、いずれも本発明の範疇にある。
【符号の説明】
【００４４】
１０，１０ａ〜１０ｄ…アンテナ部、１１，１１ａ〜１１ｄ…選局部、１２…復調部、１３…復号部、１４…表示部、１５…制御部、１６…位置検出部、１７…速度検出部、１８…記憶部、１９…タイマ部、２０…料金収受部、２１…復調・合成部、２２…解析部。
【図１】
2014007485.tif 000003
【図２】
2014007485.tif 000004
【図３】
2014007485.tif 000005
【図４】
2014007485.tif 000006
【図５Ａ】
2014007485.tif 000007
【図５Ｂ】
2014007485.tif 000008
【図６】
2014007485.tif 000009
【図７】
2014007485.tif 000010
【図８】
2014007485.tif 000011
【図９】
2014007485.tif 000012
【図１０】
2014007485.tif 000013
【図１１】
2014007485.tif 000014
【図１２】
2014007485.tif 000015
【図１３】
2014007485.tif 000016
【図１４】
2014007485.tif 000017
【図１５】
2014007485.tif 000018